(57)【特許請求の範囲】
【請求項１】
夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その１であった場合は、磁気カードリーダによって読み取られた登録済みの管理カードの磁気記録信号により管理カード登録モードに切換えられ、この管理カード登録モードにおいて、磁気カードリーダに読み取られた管理カードの磁気記録信号を指定されたアドレスに蓄積する機能を有する管理カード登録手段を備えたリーダコントローラとを有することを特徴とする共通扉口におけるカード錠システム。
【請求項２】
夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その２であった場合は、磁気カードリーダによって読み取られた登録済みの管理カードの磁気記録信号によりユーザカード登録モードに切換えられ、このユーザカード登録モードにおいて、磁気カードリーダに読み取られたユーザカードの磁気記録信号を指定されたアドレスに蓄積する機能を有するユーザカード登録手段を備えたリーダコントローラとを有することを特徴とする共通扉口におけるカード錠システム。
【請求項３】
夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その３であった場合は、磁気カードリーダによって読み取られた登録済みの管理カードの磁気記録信号により管理カード抹消モードに切換えられ、この管理カード抹消モードにおいて、指定されたアドレスに蓄積された管理カードの磁気記録信号を消去する機能を有する管理カード抹消手段を備えたリーダコントローラとを有することを特徴とする共通扉口におけるカード錠システム。
【請求項４】
夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、アドレス設定スイッチにより入力された数字や符号を表示するディスプレイと、共通扉口の管理人の管理下にある室内に設置され、通常は電気錠運用モードに設定されているが付属の起動スイッチを操作することにより待機状態となり、アドレス設定スイッチにより設定された数が所定の数その３であった場合は、磁気カードリーダによって読み取られた登録済みの管理カードの磁気記録信号により管理カード抹消モードに切換えられ、この管理カード抹消モードにおいて、指定されたアドレスに蓄積された管理カードの磁気記録信号を消去する機能を有する管理カード抹消手段、及び、管理カードの抹消に先立ってディスプレイ上の表示を高速点滅させる高速点滅手段を備えたリーダコントローラとを有することを特徴とする共通扉口におけるカード錠システム。
【請求項５】
夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その４であった場合は、磁気カードリーダによって読み取られた登録済み管理カードの磁気記録信号によりユーザカードアドレス抹消モードに切換えられ、このユーザカードアドレス抹消モードにおいて、指定されたアドレスに蓄積されたユーザカードの磁気記録信号を消去する機能を有するユーザカードアドレス抹消手段を備えたリーダコントローラとを有することを特徴とする共通扉口におけるカード錠システム。
【請求項６】
夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その５であった場合は、磁気カードリーダによって読み取られた登録済みの管理カードの磁気記録信号によりユーザカード現物抹消モードに切換えられ、このユーザカード現物抹消モードにおいて、磁気カードリーダに抹消しようとするユーザカードを通すことによりそのユーザカードが登録されているアドレスを呼出し、再度同一のユーザカードを磁気カードリーダに通すことにより、当該アドレスの蓄積内容を消去する機能を有するユーザカード現物抹消手段を備えたリーダコントローラとを有することを特徴とする共通扉口におけるカード錠システム。
【請求項７】
夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、アドレス設定スイッチにより入力された数字や符号を表示するディスプレイと、共通扉口の管理人の管理下にある室内に設置され、通常は電気錠運用モードに設定されているが付属の起動スイッチを操作することにより待機状態となり、アドレス設定スイッチにより設定された数が所定の数その６であった場合は、磁気カードリーダによって読み取られた登録済みの管理カードの磁気記録信号により検索モードに切換えられ、この検索モードにおいて、登録アドレスを検索したいカードの磁気記録信号を磁気カードリーダに読み取らせると、そのカードに該当する登録アドレスをディスプレイに表示する機能を有する検索手段を備えたリーダコントローラとを有することを特徴とする共通扉口におけるカード錠システム。
【請求項８】
磁気カードリーダにアドレス設定スイッチにより入力された数字や符号を表示するディスプレイを設け、誤操作、誤動作が生じたとき、その誤操作、誤動作の発生原因に応じて、予め設定された所定のエラーコードをディスプレイに表示するエラーコード表示手段を有することを特徴とする請求項１及至請求項３、請求項５及び請求項６の何れかに記載の共通扉口におけるカード錠システム。
【請求項９】
誤操作、誤動作が生じたとき、その誤操作、誤動作の発生原因に応じて、予め設定された所定のエラーコードをディスプレイに表示するエラーコード表示手段を有することを特徴とする請求項４又は請求項７に記載の共通扉口におけるカード錠システム。
【発明の詳細な説明】
【０００１】
【産業上の利用分野】
この発明は、特定多数の人間が共通に使用する扉口の電気錠や自動ドアを制御するためのカード錠システムに係り、特に、磁気カードリーダとリーダコントローラを組合せて、管理カードやユーザカードの登録、抹消に使用したり、或いは電気錠や自動ドアの制御用とに併用するようにして構成の簡素化を図るとともに、管理カードの採用により、ユーザカードの登録、抹消についての管理の強化を図った共通扉口におけるカード錠システムに関する。
【０００２】
【従来の技術】
特定多数の人間が、事務所の扉口や、マンションの玄関扉口等の共通扉口を使用する場合、各個人の所有する社員カードや個人部屋カード等を前以てカード錠装置に個別に登録しておき、これらのカードを使用して共通扉口の電気錠や自動ドアをを制御するようにし、非登録人の侵入を防止することが行われている。
【０００３】
しかして、従来のカード登録、抹消は、共通扉口の管理人の管理下の室内に設置された出入管理装置及びパソコンと、共通扉口外に設置された磁気カードリーダを備え、これら機器を制御ケーブルで連結し、パソコンを作動させるための所定のプログラムを立上らせたのち、プログラムによりディスプレイの指定する操作要領に従ってパソコンを操作して、カードの登録や抹消を行っている。
【０００４】
又、共通扉口の電気錠や自動ドアを制御するためには、上記操作により登録されたカードの磁気記録信号を、磁気カードリーダによって読み取らせることにより行っている。
【０００５】
上記した従来の共通扉口におけるカード錠装置は、名刺大の小さなカードで容易に共通扉口の電気錠や自動ドアの制御ができるとともに、カード登録用の出入管理装置やパソコンが共通扉口の管理人の室内に設置され、第三者が勝手に磁気カードの登録ができないので、非登録人の侵入が防止できて安全性が高く、広く実用されている。
【０００６】
【発明が解決しようとする課題】
しかしながら、カードの登録、抹消を行うにあたって、パソコンを使用することは、一部の専門家やマニュアを除き、一般の者にとっては技術的な困難が伴い、一般的でない。とくにマンションの管理人等の場合は老齢者である場合が多く、パソコンそのものに心情的抵抗を感じる者も少くない。
【０００７】
従って場合によっては、カードの登録や抹消の度に技術者を連れてこなければならないという不都合が生じる。
【０００８】
又、仮にパソコンに対して抵抗を感じない管理者の場合であったにしても、プログラムを立上らせ、プログラムに従ってカードの登録、抹消を行うにはある程度の訓練期間を必要とし、管理人が代るたびに訓練に要する手間と費用は馬鹿にならないという欠点がある。
【０００９】
従って、パソコンを使用せず専用の登録、抹消装置により、電話機やファックス程度の操作によって登録、抹消操作が行える装置が望まれる。
【００１０】
又、従来の方式では、共通扉口の管理人のみの意志により自由にカードの登録、抹消が行えるので、善良な管理人の場合には問題がないが、そうでない場合は問題が残る。
【００１１】
すなわち、共通扉口の管理人は、共通扉口が属している建物に運営に責任をもつ管理者でない場合が殆どである。何故ならば、マンションの管理人は、マンションの所有者或いは管理組合から共通扉口の管理を依託された者であり、事務所の管理人は所長から共通扉口の管理を依託された守衛である者が殆どであるからである。
【００１２】
従って、善良でない管理人と第三者の不心得者とが結託することにより、容易に不正のカードを登録することができるという問題がある。
【００１３】
このことを考慮すると、建物の運営に責任をもつ管理者或は管理者の代理人が立会わない限り、カードの登録、抹消が行えないというシステムが望まれる。本発明はこのような共通扉口におけるカード錠システムを提供することを目的としている。
【００１４】
【課題を解決するための手段】
上記の目的を達成するため、請求項１に記載の発明は、夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その１であった場合は、磁気カードリーダによって読み取られた登録済みの管理カードの磁気記録信号により管理カード登録モードに切換えられ、この管理カード登録モードにおいて、磁気カードリーダに読み取られた管理カードの磁気記録信号を指定されたアドレスに蓄積する機能を有する管理カード登録手段を備えたリーダコントローラとを有することを特徴とする。
【００１５】
又、請求項２に記載の発明は、夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その２であった場合は、磁気カードリーダによって読み取られた登録済みの管理カードの磁気記録信号によりユーザカード登録モードに切換えられ、このユーザカード登録モードにおいて、磁気カードリーダに読み取られたユーザカードの磁気記録信号を指定されたアドレスに蓄積する機能を有するユーザカード登録手段を備えたリーダコントローラとを有することを特徴とする。
【００１６】
請求項３に記載の発明は、夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その３であった場合は、磁気カードリーダによって読み取られた登録済みの管理カードの磁気記録信号により管理カード抹消モードに切換えられ、この管理カード抹消モードにおいて、指定されたアドレスに蓄積された管理カードの磁気記録信号を消去する機能を有する管理カード抹消手段を備えたリーダコントローラとを有することを特徴とする。
【００１７】
請求項４に記載の発明は、夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、付属の起動スイッチを操作することにより待機状態となり、アドレス設定スイッチにより入力された数字や符号を表示するディスプレイと、共通扉口の管理人の管理下にある室内に設置され、通常は電気錠運用モードに設定されているがアドレス設定スイッチにより設定された数が所定の数その３であった場合は、磁気カードリーダによって読み取られた登録済みの管理カードの磁気記録信号により管理カード抹消モードに切換えられ、この管理カード抹消モードにおいて、指定されたアドレスに蓄積された管理カードの磁気記録信号を消去する機能を有する管理カード抹消手段、及び、管理カードの抹消に先立ってディスプレイ上の表示を高速点滅させる高速点滅手段を備えたリーダコントローラとを有することを特徴とする。
【００１８】
請求項５に記載の発明は、夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その４であった場合は、磁気カードリーダによって読み取られた登録済み管理カードの磁気記録信号によりユーザカードアドレス抹消モードに切換えられ、このユーザカードアドレス抹消モードにおいて、指定されたアドレスに蓄積されたユーザカードの磁気記録信号を消去する機能を有するユーザカードアドレス抹消手段を備えたリーダコントローラとを有することを特徴とする。
【００１９】
請求項６に記載の発明は、夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、共通扉口の管理人の管理下にある室内に設置され、通常は電気錠運用モードに設定されているが付属の起動スイッチを操作することにより待機状態となり、アドレス設定スイッチにより設定された数が所定の数その５であった場合は、磁気カードリーダによって読み取られた登録済みの管理カードの磁気記録信号によりユーザカード現物抹消モードに切換えられ、このユーザカード現物抹消モードにおいて、磁気カードリーダに抹消しようとするユーザカードを通すことによりそのユーザカードが登録されているアドレスを呼出し、再度同一のユーザカードを磁気カードリーダに通すことにより、当該アドレスの蓄積内容を消去する機能を有するユーザカード現物抹消手段を備えたリーダコントローラとを有することを特徴とする。
【００２０】
請求項７に記載の発明は、夫々電気錠の施解錠のための磁気記録信号を蓄積した磁気カードである複数のユーザカードと、電気錠の施解錠のための磁気記録信号を蓄積した磁気カードであると共に、後記リーダコントローラの所定の登録アドレスに登録されることにより、磁気カードの機能の付加、削除、変更の管理を行う資格を得た少なくとも１枚の管理カードと、共通扉口の室外側に設置され、磁気カードに記録された磁気記録信号を読み取る機能を有すると共に、管理モードの設定、及びカード登録アドレス設定のためのアドレス設定スイッチを内蔵した磁気カードリーダと、アドレス設定スイッチにより入力された数字や符号を表示するディスプレイと、共通扉口の管理人の管理下にある室内に設置され、通常は電気錠運用モードに設定されているが付属の起動スイッチを操作することにより待機状態となり、アドレス設定スイッチにより設定された数が所定の数その６であった場合は、磁気カードリーダによって読み取られた登録済みの管理カードの磁気記録信号により検索モードに切換えられ、この検索モードにおいて、登録アドレスを検索したいカードの磁気記録信号を磁気カードリーダに読み取らせると、そのカードに該当する登録アドレスをディスプレイに表示する機能を有する検索手段を備えたリーダコントローラとを有することを特徴とする。
【００２１】
請求項８及び請求項９に記載の発明は、誤操作、誤動作が生じたとき、その誤操作、誤動作の発生原因に応じて、予め設定された所定のエラーコードをディスプレイに表示することを特徴とする。
【００２２】
【作用】
上記のように構成された請求項１に記載の発明は、リーダコントローラに付属の起動スイッチを押すことにより、リードコントローラはウェイトモードに移行され待機状態となる。
【００２３】
次にアドレス設定スイッチを操作して所定の数その１を入力したあと、登録済みの管理カードを磁気カードリーダに読み取らせると、リードコントローラは管理カード登録モードへ移行される。
【００２４】
この管理カード登録モードにおいて、アドレス設定スイッチ操作によるアドレス設定と、磁気カードリーダによる磁気記録信号の読み取りにより、読み取られたカードは管理カードとして設定されたアドレスに登録される。
【００２５】
ここで、上記において使用された管理カードと、後述の説明において使用されるユーザカードの区別について説明しておく必要がある。
【００２６】
先ず、ユーザカードとは、この発明においては、単に共通扉口の電気錠や自動ドアを制御するのに使用されるカードを指し示し、従来からこの種の装置に使用されている一般の磁気カードと変らない目的をもった磁気カードである。
【００２７】
次に、管理カードとは、この発明においては、共通扉口の電気錠や自動ドアを制御するのに使用される他に、ユーザカードの登録、抹消や、他の管理カードの登録、抹消に使用される目的をもつものであって、逆に言えば、管理カードを磁気カードリーダに読み取らせることなしには、リーダコントローラを操作することができない性質のものである。
【００２８】
従って、管理カードは原則として建物の運営に責任をもつ管理者、或は管理者の代理人のみが持つことにより、共通扉口の管理人が勝手にユーザカードの登録、抹消を行うことが防止され、共通扉口の管理の強化が実現される。
【００２９】
請求項２に記載の発明は、リーダコントローラに付属の起動スイッチを押すことにより、リーダコントローラはウェイトモードに移行され、待機状態となる。
【００３０】
次にアドレス設定スイッチを操作して所定の数その２を入力したあと、登録済みの管理カードを磁気カードリーダに読み取らせると、リーダコントローラはユーザカード登録モードへ移行される。
【００３１】
このユーザカード登録モードにおいて、アドレス設定スイッチ操作によるアドレス設定と、磁気カードリーダによる磁気記録信号の読み取りにより、読み取られたカードはユーザカードとして設定されたアドレスに登録される。
【００３２】
請求項３に記載の発明は、リーダコントローラに付属の起動スイッチを押すことにより、リーダコントローラはウェイトモードに移行され、待機状態となる。
【００３３】
次にアドレス設定スイッチを操作して所定の数その３を入力したあと、登録済みの管理カードを磁気カードリーダに読み取らせると、リーダコントローラは管理カード抹消モードへ移行される。
【００３４】
この管理カード抹消モードにおいて、アドレス設定スイッチ操作による抹消したい管理カードのアドレス設定と、磁気カードリーダによる異った２種の登録済み管理カードの磁気記録信号の読み取りにより、読み取られたアドレスに登録された管理カードは抹消される。
【００３５】
ここで、異った２種の管理カードを読み取らせる理由は、管理カードは共通扉口の管理運営上非常に重要なカードであり、不用意に抹消してしまうことがないように考慮されているからである。
【００３６】
又、管理カードはユーザカードの登録、抹消には必須のものであり、従って誤って管理カードを抹消してしまうことにより管理カードが全くなくなってしまう事態が生じることを防止するためでもある。
【００３７】
上記請求項３に記載の発明の管理カード抹消モードにおいては、抹消したい管理カードのアドレス指定をした後、異なった２種の管理カードを磁気カードリーダに通している。
【００３８】
この場合、１種類目の管理カードの読み取りと、２種類目の管理カードの読み取りとは、カードが異なるのみで、読み取り操作は全く同じである。
【００３９】
したがって、使用者に対する１種類目のカードの読み取り要求サインと、２種類目のカードの読み取り要求サインとは区別した方が実用的には好ましい。
【００４０】
それは、読み取り要求サインを区別することによって、同じカードを２重に読み取らせたり、或いは、１種類目のカードだけを読み取らせるのみで終了させてしまうという誤操作が防止されるからである。
【００４１】
請求項４に記載の発明は、１種類目の管理カードを磁気カードリーダに通すことにより、ディスプレイの点滅が高速点滅に切り替わって、２種類目の管理カードを磁気カードリーダに通すように促す。
【００４２】
ディスプレイの点滅は使用者の視覚に訴える影響力が大きく、しかも周囲の環境に与える悪影響が無いので表示効果が大きい。しかも、高速点滅は操作が終了していないことの表現手段として好適である。
【００４３】
請求項５に記載の発明は、リーダコントローラに付属の起動スイッチを押すことにより、リーダコントローラはウェイトモードに移行され、待機状態となる。
【００４４】
次にアドレス設定スイッチを操作して所定の数その４を入力したあと、登録済みの管理カードを磁気カードリーダに読み取らせると、リーダコントローラはユーザカードアドレス抹消モードへ移行される。
【００４５】
このユーザカードアドレス抹消モードにおいて、アドレス設定スイッチによる抹消したいユーザカードのアドレス設定と、磁気カードリーダによる登録済み管理カードの磁気記録信号の読み取りにより、設定されたアドレスに登録されたユーザカードの磁気記録信号が消去される。
【００４６】
請求項６に記載の発明は、リーダコントローラに付属の起動スイッチを押すことにより、リーダコントローラはウェイトモードに移行され、待機状態となる。
【００４７】
次にアドレス設定スイッチを操作して所定の数５を入力したあと、登録済みの管理カードを磁気カードリーダに読み取らせると、リーダコントローラはユーザカード現物抹消モードへ移行される。
【００４８】
このユーザカード現物抹消モードにおいて、磁気カードリーダに抹消したいユーザカードの磁気記録信号を読み取らせると、そのユーザカードの磁気記録信号が蓄積されているアドレスが呼出され、再度そのユーザカードを磁気カードリーダに通すと、当該呼出されたアドレスの蓄積内容が消去される。
【００４９】
請求項７に記載の発明は、リーダコントローラに付属の起動スイッチを押すことにより、リーダコントローラはウェイトモードに移行され、待機状態となる。
【００５０】
次にアドレス設定スイッチを操作して所定の数その６を入力したあと、登録済みの管理カードを磁気カードリーダに読み取らせると、リーダコントローラは検索モードへ移行される。
【００５１】
この検索モードにおいて、登録アドレスを検索したいカードの磁気記録信号を磁気カードリーダに読み取らせると、そのカードに該当する登録アドレスがアドレス設定スイッチに付属のディスプレイに表示される。
【００５２】
請求項８又は請求項９に記載の発明は、磁気カードを磁気カードリーダに通したとき、読み取りエラーなどの誤操作、或いは誤動作が生じた場合、エラー発生原因を使用者に知らせるため、予め決められたエラーコードをディスプレイに表示させる。
【００５３】
即ち、磁気カードの磁気カードリーダへの通しかたが悪かったり、登録していない磁気カードを抹消しようとしたりした場合に、その内容を使用者に知らせて、使用者に誤りを直させるのに役立つ。
【００５４】
以上は管理カードやユーザカードの登録、抹消の作用についての説明であるが、このシステムを通常の電気錠や自動ドアの制御に使用するには、電源ＯＮの状態で起動スイッチを押さないでおく。この状態をこのシステムでは運用モードと呼称している。
【００５５】
この運用モードにおいて、磁気カードリーダに管理カード或はユーザカードを通すことにより、共通扉口の電気錠或は自動ドアを制御することができる。
【００５６】
【実施例】
以下、この発明の実施例を図面を参照して説明する。
【００５７】
図１において、符号１は磁気カードリーダを示し、この磁気カードリーダは、例えばマンションのエントランスホールに設置される。図では内部が判るように化粧カバーは取外してある。
【００５８】
磁気カードリーダ１にはスリット２が開口しており、また、アドレス設定スイッチ３が内蔵されている。
【００５９】
磁気カードリーダ１は、磁気記録信号を記録したカードをスリット２に挿入してから、スリット長手方向にスライドさせ、内蔵された磁気ヘッドにより磁気記録信号を読み取る。
【００６０】
これはこの発明の必須の構成要素ではないが、磁気カードリーダをカードの登録、抹消に用いる場合、カードの挿入とスライド操作を２回行う。
【００６１】
アドレス設定スイッチ３は、登録するアドレスの専用数字の各桁毎に押しボタン３ａが配設されており、各桁毎の数字の数だけ各押しボタンを押してディスプレイ３ｂに表示させて入力する。
【００６２】
アドレス設定の入力の方法には、上記した方法の他に、登録アドレスの各桁毎に回動つまみが配設されており、各回動つまみを夫々３６０度以内で回動し、数字と回動角度との対応関係により数値を入力する方法もあるが、アドレス設定の入力方式については、この発明の要旨ではないので、いずれの方式によることも妨げるものではない。
【００６３】
符号６はリーダコントローラを示し、このリーダコントローラは、例えば管理人室等、共通扉口の内側に設置される。図では内部が判るように化粧カバーを取外してある。
【００６４】
リーダコントローラには起動スイッチ７が付属されており、電源ＯＮの状態において起動スイッチが押されていなければ、電気錠や自動ドアの運用モードであって、管理カードやユーザカードを磁気カードリーダに読み取らせることによって、自動ドア９の制御（開閉）が行われる。
【００６５】
更に詳しくこの運用モードの内容を延べると、前記ユーザカード登録モードにおいて所定のアドレスに蓄積された、通常は複数のユーザカードの磁気記録信号と、開扉の為共通扉口の磁気カードリーダに通されたユーザカードの磁気記録信号とが夫々比較照合され、前者の内何れか一つが後者と一致すれば、解錠信号が電気錠、又は自動ドア９に供給され、電気錠は解錠され、或いは自動ドアが開く。
【００６６】
尚、図１において符号８は電気錠の制御盤を示し、この電気錠の制御盤８は、共通扉口に電気錠（図示せず）が設置されているときに、リーダコントローラ６からの制御信号を受信して、その電気錠の開閉制御を行うものである。
【００６７】
一般に、共通扉口に電気錠と自動ドアとが併設されることはないが、図１においては、説明の都合上、電気錠の制御盤８と自動ドア９とを併記してある。
【００６８】
電源ＯＮの状態において、起動スイッチ７が押されると、後述するように管理モードとなり、管理カードやユーザカードの登録、抹消が行われる。
【００６９】
上記のように構成されたこの発明のカード錠システムの管理、運用は先ず管理カードの初期登録から始める。
【００７０】
＜管理カードの初期登録＞
リーダコントローラ６の電源をＯＮにしたあと、起動スイッチ７を押す。この操作により自動的に所定のアドレス、例えば７０１が設定され、緑色の発光体（以下略して緑ＬＥＤと呼ぶ）４と、ディスプレイ３ｂの”７０１”の表示が点滅を開始する。
【００７１】
この実施例において先づ７０１のアドレスが設定されるのは、この実施例のシステムの都合上、管理カードの登録アドレスを７０１乃至７５０に限定し、１種類目の管理カードの登録アドレスを７０１としたからである、従って一般の場合にはこの数に限定されるものではない。
【００７２】
次に管理カードとして登録したい磁気カードを磁気カードリーダのスリット２に挿入し、スライドさせる（以下略して磁気カードリーダに通すという）。
【００７３】
磁気カードに記録されている磁気記録信号が正確に磁気カードリーダに読み取られると、緑ＬＥＤ４は点灯し、ブザーが鳴ってＯＫ表示がなされる。
【００７４】
若し、磁気カードリーダに正確に読み取られなかった場合は、赤色の発光体（以下略して赤ＬＥＤとよぶ）５が点灯し、ブザーが短く３回鳴ってＮＧ表示がなされる。
【００７５】
同時にディスプレイ３ｂにエラー発生原因を知らせるための所定のエラーコードが表示されるので、もう一度磁気カードリーダに通してやり直す。
【００７６】
上記１回目の読み取りがＯＫであった場合は、再び緑ＬＥＤ４が点滅を始めるので、再度同一の磁気カードを磁気カードリーダに通す。
【００７７】
２回目の読み取りが正確に行われると、１回目と同じく、緑ＬＥＤ４は点灯し、ブザーが鳴りＯＫ表示される、同時にディスプレイ３ｂに”７０１”が点灯される。
【００７８】
もし、正確に読み取られなかった場合は、赤ＬＥＤ５が点灯しブザーが短く３回鳴り、ＮＧ表示される。
【００７９】
同時に、ディスプレイ３ｂにエラー発生原因を知らせるための所定のエラーコードが表示されるので、もう１度磁気カードを磁気カードリーダに通してやり直す。
【００８０】
この実施例では、読み取りエラーの場合は、ＣＣ１というエラーコードを表示させるようになっている。
【００８１】
エラーコードは、上記ＣＣ１のほか、ＣＣ２、ＣＣ３、ＣＣ４及びＣＣ５が決められており夫々照合エラー、照合通信エラー、アドレスエラー、登録抹消通信エラーに対応している。
【００８２】
以上の通り、磁気カードリーダに２回読み取られることによって１種類目の管理カードがアドレス７０１に登録される。
【００８３】
＜管理カードの登録＞
リーダコントローラ６の電源をＯＮにしたあと、起動スイッチ７を押す。ディスプレイ３ｂの”０００”の表示が点滅を開始し、所定のモードコードの入力を待つ待機状態となり、ウェイトモードに移行する。
【００８４】
アドレス設定スイッチ３を操作して、請求項１に記載の通り、所定の数その１、例えば９９０を設定する。
【００８５】
次に登録済みの管理カードを磁気カードリーダに２回通す。
【００８６】
このとき、正確に読み取られた場合及びそうでない場合の動作については＜管理カードの初期登録＞と同様であるため、これ以上の説明は省略する。
【００８７】
２回とも正確に読み取られると、緑ＬＥＤ４は点滅し、ディスプレイ３ｂが登録したいアドレスの入力を促すように、例えば”７００”と点滅する。
【００８８】
この実施例において、”７００”の表示が点滅するのは、前述したようにこの実施例におけるシステムの都合上、管理カードの登録アドレスを７０１乃至７５０に限定しているからであって、一般の場合にはこの数に限定されるものではない。
【００８９】
この状態において、リーダコントローラは管理カードの登録モードに移行されたこととなる。
【００９０】
この管理カードの登録モードにおいて、アドレス設定スイッチを操作して、管理カードを登録すべきアドレス、換言すればメモリの番地を設定する。
【００９１】
次に、管理カードとして登録したい未登録の磁気カードを磁気カードリーダに２回通すことにより、この磁気カードは設定したアドレスに管理カードとして登録される。
【００９２】
このとき、正確に読み取られた場合及びそうでない場合についての動作については、＜管理カードの初期登録＞と同様であるため、更に詳細な説明は省略する。
【００９３】
前記までの操作により、登録済みの管理カードが得られたので、次にユーザカードの登録に移る。
【００９４】
＜ユーザカードの登録＞
起動スイッチを押してウェイトモードに移行するまでは、＜管理カードの登録＞と同じであるから、更に詳細な説明を省略する。
【００９５】
アドレス設定スイッチ３を操作して、請求項２に記載の通り、所定の数その２、例えば９００を設定する。
【００９６】
次に登録済みの管理カードを磁気カードリーダに２回通す。
【００９７】
このとき、正確に読み取られた場合及びそうでない場合の動作については＜管理カードの初期登録＞と同様であるため、これ以上の説明は省略する。
【００９８】
２回とも正確に読み取られると、緑ＬＥＤ４は点滅し、ディスプレイ３ｂが登録したいアドレスの入力を促すように、例えば”０００”と点滅する。
【００９９】
この実施例において、”０００”の表示が点滅するのは、この実施例におけるシステムの都合上、ユーザカードの登録アドレスを００１乃至６９９に限定しているからであって、一般の場合にはこの数に限定されるものではない。
【０１００】
この状態において、リーダコントローラはユーザカードの登録モードに移行されたこととなる。
【０１０１】
このユーザカードの登録モードにおいて、アドレス設定スイッチを操作してからユーザカードとして登録したい未登録の磁気カードを磁気カードリーダに２回通すことにより、この磁気カードは設定したアドレスにユーザカードとして登録される。この操作要領は＜管理カードの登録＞と同様であり、これ以上の説明は省略する。
【０１０２】
次に管理カードの抹消方法について説明する。
【０１０３】
＜管理カードの抹消＞
起動スイッチを押してウェイトモードに移行するまでは、＜管理カードの登録＞と同じであるので、更に詳細な説明を省略する。
【０１０４】
アドレス設定スイッチ３を操作して、請求項３に記載の通り、所定の数その３、例えば９８０を設定する。
【０１０５】
次に登録済みの管理カードを磁気カードリーダに２回通す。
【０１０６】
このとき、正確に読み取られた場合及びそうでない場合の動作については＜管理カードの初期登録＞と同様であるため、これ以上の説明は省略する。
【０１０７】
２回とも正確に読み取られると、赤ＬＥＤ５は点滅し、ディスプレイ３ｂが抹消したい管理カードの登録アドレスの入力を促すように、例えば”７００”と点滅する。
【０１０８】
この実施例において、”７００”の表示が点滅するのは、＜管理カードの登録＞の説明において記載した理由によるものであり、一般の場合にはこの数に限定されるものではない。
【０１０９】
この状態において、リーダコントローラは管理カードの抹消モードに移行されたこととなる。
【０１１０】
この管理カードの抹消モードにおいて、アドレス設定スイッチを操作して抹消したい管理カードの登録アドレスを設定する。
【０１１１】
次に登録済みの２種類の管理カードを用意し、その中の１枚目の管理カードを磁気カードリーダに２回通す。
【０１１２】
このとき、正確に読み取られた場合及びそうでない場合の動作については、＜管理カードの初期登録＞と同様であるため、これ以上の説明は省略する。
【０１１３】
１枚目の管理カードが２回とも正確に読み取られるとディスプレイ３ｂに表示されているアドレスは通常の点滅よりも高い周波数をもって高速点滅するようになり、２枚目の管理カードの読み取りを促す。
【０１１４】
そこで、残った２枚目の管理カードを磁気カードに２回通す。
【０１１５】
このとき、正確に読み取られた場合及びそうでない場合の動作については、＜管理カードの初期登録＞と同様であるため、これ以上の説明は省略する。
【０１１６】
２枚目の管理カードが２回とも正確に読み取られると、設定されたアドレスに登録された管理カードは抹消される。
【０１１７】
ここで異なった２種類の管理カードを磁気カードリーダに通す理由は、前述したように管理カードは共通扉口の管理運営上非常に重要なカードであり、不用意に抹消されることを防止するためでもある。
【０１１８】
誤って管理カードを抹消し、管理カードが全くなくなってしまうという事態が生じることを防止するためでもある。
【０１１９】
次にユーザカードの抹消方法について説明する。
ユーザカードの抹消方法には２種類ある。その第１は、ユーザカードの登録してあるアドレスを設定して、そのアドレスに該当するユーザカードを抹消する方法である。
【０１２０】
その第２はアドレスを設定せず、抹消しようとするユーザカードの現物を磁気カードリーダに通すことにより、当該ユーザカードが登録されているアドレスを呼出し、再度同一のユーザカードを磁気カードリーダに通すことにより、当該アドレスの蓄積内容を消去する方法である。
【０１２１】
＜ユーザカードの抹消＞
起動スイッチを押してウェイトモードに移行するまでは、＜管理カードの登録＞と同じであり、説明を省略する。
【０１２２】
アドレス設定スイッチ３を操作して、請求項４に記載の通り、所定の数その４、例えば９１０を設定する。
【０１２３】
次に登録済みの管理カードを磁気カードリーダに２回通す。
【０１２４】
このとき、正確に読み取られた場合及びそうでない場合の動作については＜管理カードの初期登録＞と同様であるため、これ以上の説明は省略する。
【０１２５】
２回とも正確に読み取られると、赤ＬＥＤ５は点滅し、ディスプレイ３ｂが抹消したいユーザカードの登録アドレスの入力を促すように、例えば”０００”と点滅する。
【０１２６】
この実施例において、”０００”の表示が点滅するのは、＜ユーザカードの登録＞の説明において記載した理由によるものであり、一般の場合にはこの数に限定されるものではない。
【０１２７】
この状態において、リーダコントローラはユーザカードのアドレス抹消モードに移行されたこととなる。
【０１２８】
このユーザカードの抹消アドレスモードにおいて、アドレス設定スイッチを操作して抹消したいユーザカードの登録アドレスを設定する。
【０１２９】
次に登録済みの管理カードを磁気カードリーダに２回通すことにより、設定されたアドレスに登録（蓄積）されているユーザカードの磁気記録信号が消去される。
【０１３０】
このとき、正確に読み取られた場合及びそうでない場合の動作については、＜管理カードの初期登録＞と同様であるため、これ以上の説明は省略する。
【０１３１】
＜ユーザカードの現物抹消＞
起動スイッチを押してウェイトモードに移行するまでは、＜管理カードの登録＞と同じであり、説明を省略する。
【０１３２】
アドレス設定スイッチ３を操作して、請求項６に記載の通り、所定の数その５、例えば９１１を設定する。
【０１３３】
次に登録済みの管理カードを磁気カードリーダに２回通す。
【０１３４】
このとき、正確に読み取られた場合及びそうでない場合の動作については＜管理カードの初期登録＞と同様であるため、これ以上の説明は省略する。
【０１３５】
２回とも正確に読み取られると、赤ＬＥＤ５は点滅し、ディスプレイ３ｂの表示が”０００”と点滅し、抹消させたいユーザカードの読み取りを促す。
【０１３６】
この状態において、リーダコントローラはユーザカードの現物抹消モードに移行されたこととなる。
【０１３７】
このユーザカードの現物抹消モードにおいて、抹消したいユーザカードの現物を磁気カードリーダに２回通す。
【０１３８】
１回目が正確に読み取られると、ディスプレイ３ｂにそのユーザカードの登録アドレスが呼出されて表示され、点滅を開始する。２回目が正確に読み取られると、ディスプレイの点滅は１回目よりも高速になり、３回目の読み取りを促す。
【０１３９】
そして、同じユーザカードを磁気カードリーダにもう一度通すことにより、このユーザカードは抹消される。換言すれば、呼出されたアドレスの蓄積内容が消去される。
【０１４０】
このとき、正確に読み取られた場合及びそうでない場合の動作については＜管理カードの初期登録＞と同様であるため、これ以上の説明は省略する。
【０１４１】
次に、登録済みの管理カードやユーザカードの登録アドレスを夫々のカードから知るための方法である検索について説明する。
【０１４２】
＜検索＞
起動スイッチを押してウェイトモードに移行するまでは、＜管理カードの登録＞と同じであり、説明を省略する。
【０１４３】
アドレス設定スイッチを操作して、請求項６に記載の通り、所定の数その６、例えば９３０を設定する。
【０１４４】
次に登録済みの管理カードを磁気カードリーダに２回通す。
【０１４５】
このとき、正確に読み取られた場合及びそうでない場合の動作については＜管理カードの初期登録＞と同様であるため、これ以上の説明は省略する。
【０１４６】
２回とも正確に読み取られると、緑ＬＥＤ及び赤ＬＥＤ５は点滅し、ディスプレイ３ｂの表示が”０００”と点滅し、検索したい管理カード或はユーザカードの読み取りを促す。
【０１４７】
この状態において、リーダコントローラは検索モードに移行されたこととなる
。
【０１４８】
この検索モードにおいて、登録アドレスを検索したい管理カードやユーザカードの現物を磁気カードリーダに１回通す。磁気カードリーダに読み取られることにより、ディスプレイ３ｂにそのカードに該当する登録アドレスが表示され点滅する。
【０１４９】
このとき、正確に読み取られた場合及びそうでない場合の動作については、＜管理カードの初期登録＞と同様であるため、これ以上の説明は省略する。
【０１５０】
次に、管理カードやユーザカードの登録、抹消を行う管理カードから、電気錠や自動ドアの制御を行う運用モードへの移行操作について説明する。
【０１５１】
先ず、第１に簡単な方法は、管理モードの中の各種モードにおいて、カードの登録、抹消を行ったあと、１分間操作を何も行わなければ、自動的に運用モードへ移行される。
【０１５２】
第２に、管理モードの中の各種モードにおいて、カードの登録、抹消を行ったあと、アドレス設定スイッチを操作して、アドレスを９９９に設定する。
【０１５３】
次に登録済みの管理カードを磁気カードリーダに２回通す。
【０１５４】
このとき、正確に読み取られた場合及びそうでない場合の動作については、＜管理カードの初期登録＞と同様であるため、これ以上の説明は省略する。
【０１５５】
２回とも正確に読み取られると、ディスプレイ３ｂの表示が”０００”と点滅を開始し、リーダコントローラはウェイトモードへ移行する。
【０１５６】
このウェイトモードの状態において、再度アドレス設定スイッチを操作して、アドレスを９９９に設定する。
【０１５７】
次に、再度登録済みの管理カードを磁気カードリーダに２回通す。
【０１５８】
このとき、正確に読み取られた場合及びそうでない場合の動作については＜管理カードの初期登録＞と同様であるため、これ以上の説明は省略する。
【０１５９】
２回とも正確に読み取られると、ディスプレイ３ｂは消灯し、リーダコントローラは運用モードへ移行する。
【０１６０】
尚、この発明によるカード錠システムにおいて、磁気カードリーダに読み取りエラーが生じたとき、ディスプレー３ｂにエラーコードが表示されるものとしたが、この読み取りエラーのような誤操作、或いは機械側の誤動作は、他に、１回目と２回目のカードデータが異なる照合エラー、既に磁気記録信号が格納されているアドレスを重複して指定するアドレスエラー、或いは磁気カードリーダとリーダコントローラとの間に生じた通信エラー等がある。
【０１６１】
これらのエラーに対応して、この発明によるカード錠システムは、例えば読み取りエラーの場合にはカードを正しくリーダに通すように促す読み取りエラーコード、照合エラーに対してはカードを確認して正しくリーダに通すことを促す照合エラーコード、アドレスを確認することを促すアドレスエラーコード、或いはアドレス、カードを再確認することを促す通信エラーコードを夫々ディスプレーに表示する機能を有するエラーコード表示手段を備えている。
【０１６２】
次に、この発明のシステムをより判りやすく説明するために、図２〜図８に示すフローチャートに基いて説明する。これらのフローチャートは、この発明によるカード錠システムに組込まれたマイクロコンピュータのフローチャートで、図中Ｐ１〜Ｐ２７はフローチャートの各ステップを示す。
【０１６３】
電源投入により、ステップでＰ１で自動的にスタートする。
【０１６４】
ステップＰ２で起動スイッチが押されたかを検定し、結果がＮＯであれば運用モードとなり、結果がＹＥＳであればステップＰ３に進む。
【０１６５】
ステップＰ３でシステム内に管理カードの登録があるか否かを検定し、結果がＮＯであればステップＰ４へ進み管理カードの初期登録モードとなる。
【０１６６】
ステップＰ４で磁気カードが２回磁気カードリーダに通されたかを検定し、結果がＹＥＳであればそのカードを１種類目のカードとして登録し、結果がＮＯであればステップＰ４へ戻る。
【０１６７】
ステップＰ３で検定結果がＹＥＳであればステップＰ５へ進み、モードコードの入力の有無を検定し、結果がＮＯであればステップＰ５へ戻り、入力を待つ。結果がＹＥＳであれば入力されたモードコードの値により、ステップＰ６、Ｐ８、Ｐ１０、Ｐ１２、Ｐ１４、Ｐ１６、Ｐ１８へ分岐する。
【０１６８】
モードコードが９９０の場合はステップＰ６に進み、更にステップＰ７において管理カードが２回通されたかを検定する。結果がＹＥＳであれば管理カード登録モードとなる。
【０１６９】
この管理カード登録モードにおいては、前記したように、又図３に示すように、ステップＰ２８においてアドレスが設定されたか否かを検定する。
【０１７０】
アドレスが設定された場合には、ステップＰ２９において管理カードとして登録したい未登録の磁気カードが磁気カードリーダに２回通されたか否かを検定する。
【０１７１】
そして、未登録の磁気カードが磁気カードリーダに２回通されると、ステップＰ３０においてその磁気カードが管理カードとして登録される。
【０１７２】
モードコードが９００の場合はステップＰ８に進み、更にステップＰ９において管理カードが２回通されたかを検定する。結果がＹＥＳであればユーザカード登録モードとなる。
【０１７３】
このユーザカード登録モードにおいては、前記したように、又図４に示すように、ステップＰ３１においてアドレスが設定されたか否かを検定する。
【０１７４】
アドレスが設定された場合には、ステップＰ３２においてユーザカードとして登録したい未登録の磁気カードが磁気カードリーダに２回通されたか否かを検定する。
【０１７５】
そして、未登録の磁気カードが磁気カードリーダに２回通されると、ステップＰ３３においてその磁気カードがユーザカードとして登録される。
【０１７６】
モードコードが９８０の場合はステップＰ１０に進み、更にステップＰ１１において管理カードが２回通されたかを検定する。結果がＹＥＳであれば管理カード抹消モードとなる。
【０１７７】
この管理カード抹消モードにおいては、前記したように、又図５に示すように、ステップＰ３４において抹消したい管理カードが登録されているアドレスが設定されたか否かを検定し、結果がＹＥＳであればステップＰ３５に進む。
【０１７８】
ステップＰ３５において１種類目の管理カードが磁気カードリーダに２回通されたか否かが検定され、結果がＹＥＳであれば、ステップＰ３６に進んでディスプレイ３ｂに表示されたアドレスが高速で点滅する。
【０１７９】
次いで、ステップＰ３７において２種類目の管理カードが磁気カードリーダに２回通されたか否かが検定され、結果がＹＥＳであればステップＰ３８において管理カードが抹消される。
【０１８０】
モードコードが９１０の場合はステップＰ１２に進み、更にステップＰ１３において管理カードが２回通されたかを検定する。結果がＹＥＳであればユーザカードアドレス抹消モードとなる。
【０１８１】
このユーザカードアドレス抹消モードにおいては、前記したように、又図６に示すように、ステップＰ３９において抹消したいユーザカードの登録アドレスが設定されたか否かを検定する。
【０１８２】
結果がＹＥＳであれば、ステップＰ４０において管理カードが磁気カードリーダに２回通されたか否かを検定し、ＹＥＳであればステップＰ４１において設定されたアドレスに蓄積されたユーザカードの磁気記録信号が消去される。
【０１８３】
モードコードが９１１の場合はステップＰ１４に進み、更にステップＰ１５において管理カードが２回通されたかを検定する。結果がＹＥＳであればユーザカード現物抹消モードとなる。
【０１８４】
このユーザカード現物抹消モードにおいては、前記したように、又図７に示すように、ステップＰ４２において抹消したいユーザカードが２回通されたか否かを検定する。
【０１８５】
結果がＹＥＳであれば、ステップＰ４３においてそれまでにディスプレイに表示された抹消したいユーザカードのアドレスが高速点滅をして、３回目の読み取りの為の次の操作を促す。
【０１８６】
ステップＰ４４において抹消しようとするユーザカードが更に１回通されたか否かが検定され、結果がＹＥＳであればステップＰ４５において呼出されたアドレスの蓄積内容が消去される。
【０１８７】
上記したように、ユーザカードアドレス抹消モードとユーザカード現物抹消モードとの相違は、抹消しようとするユーザカードの磁気記録信号が蓄積されているアドレスを指定するため、前者ではアドレス設定スイッチを操作するのに対し、後者では当該ユーザカードを磁気カードリーダに通す点にある。
【０１８８】
モードコードが９３０の場合はステップＰ１６に進み、更にステップＰ１７において管理カードが２回通されたかを検定する。結果がＹＥＳであれば検索モードとなる。
【０１８９】
この検索モードにおいては、前記したように、又図８に示すように、ステップＰ４６において登録アドレスを検索したい管理カード、或いはユーザカードが磁気カードリーダに通されたか否かが検定される。
【０１９０】
結果がＹＥＳであれば、ステップＰ４７において求めるアドレスがディスプレイに表示される。
【０１９１】
モードコードが９９９の場合はステップＰ１８に進み、更にステップＰ１９において管理カードが２回通されたかを検定する。結果がＹＥＳであれば運用モードとなる。
【０１９２】
各管理モードにおいて、操作終了と同時に、ステップＰ２０〜Ｐ２５において、１分間経過したかを検定する。結果がＹＥＳであれば、運用モードとなる。
【０１９３】
ステップＰ２０〜Ｐ２５において、結果がＮＯであれば、ステップＰ２６において、モードコードを９９９に設定したかを検定し、結果がＹＥＳであれば、ステップＰ２７に進む。
【０１９４】
ステップＰ２７において管理カードが２回通されたかを検定し、結果がＹＥＳであれば、ステップＰ５に進み、モードコードの入力待機状態になる。
【０１９５】
【発明の効果】
以上の説明から明らかなように、この発明は、アドレス設定スイッチを内蔵した磁気カードリーダと、リーダコントローラを組合せ、アドレス設定スイッチの操作により種々のモードコードや登録アドレスを設定することにより、磁気カードの登録、抹消等と電気錠や自動ドアの制御が非常に容易に行えるとともに、管理カードの採用により、共通扉口の管理の強化が図られるという優れた効果がある。
【図案の簡単な説明】
【図１】この発明の一実施例による共通扉口におけるカード錠システムの構成を示すブロック図。
【図２】この発明による共通扉口におけるカード錠システムを制御するマイクロコンピュータのフローチャート。
【図３】管理カードの登録モードを制御するためのフローチャート。
【図４】ユーザカードの登録モードを制御するためのフローチャート。
【図５】管理カードの抹消モードを制御するためのフローチャート。
【図６】ユーザカードのアドレス抹消モードを制御するためのフローチャート。
【図７】ユーザカードの現物抹消モードを制御するためのフローチャート。
【図８】検索モードを制御するためのフローチャート。
【符号の説明】
１  磁気カードリーダ
２  スリット
３  アドレス設定スイッチ
３ａ  押しボタン
３ｂ  ディスプレイ
４  緑色の発光体（緑ＬＥＤ）
５  赤色の発光体（赤ＬＥＤ）
６  リーダコントローラ
７  起動スイッチ
８  電気錠の制御盤
９  自動ドア
【図１】
0003625221.tif 000002
【図２】
0003625221.tif 000003
【図３】
0003625221.tif 000004
【図４】
0003625221.tif 000005
【図５】
0003625221.tif 000006
【図６】
0003625221.tif 000007
【図７】
0003625221.tif 000008
【図８】
0003625221.tif 000009